(57)【特許請求の範囲】
【請求項１】
移動体通信装置を探索するために、定期的または不定期に所定の照会信号を出力する照会手段と、
複数の移動体通信装置からそれぞれの識別情報を含む応答信号を、前記複数の移動体通信装置から送られてくるたびに受信する受信手段と、
前記受信手段が異なるタイミングで受信した応答信号に基づいて、前記複数の移動体通信装置が所定距離以上移動したか否かを判定する判定手段と、
前記受信手段が受信した応答信号に含まれる前記識別情報に基づいて、前記判定手段により移動していないと判定された各移動体通信装置に対して発呼する発呼手段と、
を備える移動体通信装置の位置特定支援装置。
【請求項２】
前記受信手段が受信した応答信号に含まれる前記識別情報に基づいて、各移動体通信装置の所有者に関する個人情報を取得する手段と、
前記取得した個人情報を出力する手段と、をさらに備える請求項１記載の移動体通信装置の位置特定支援装置。
【請求項３】
前記受信した応答信号に基づいて、前記照会信号に応答した移動体通信装置の数を算出する手段と、
前記算出手段により算出された移動体通信装置の数に基づいて、前記照会信号が届く範囲内の人数を予測する手段と、をさらに備える請求項１または２に記載の移動体通信装置
の位置特定支援装置。
【請求項４】
前記照会手段と前記受信手段と前記発呼手段とは、一つの筐体に収容された可搬型の疑似基地局装置であることを特徴とする請求項１から３のいずれかに記載の移動体通信装置
の位置特定支援装置。
【請求項５】
移動体通信装置を探索するために、定期的または不定期に所定の照会信号を出力するステップと、
複数の移動体通信装置からそれぞれの識別情報を含む、前記照会信号に対する応答信号が送られてくるたびに受信するステップと、
異なるタイミングで受信した応答信号に基づいて、前記複数の移動体通信装置が所定距離以上移動したか否かを判定するステップと、
前記受信した応答信号に含まれる前記識別情報に基づいて、移動していないと判定された各移動体通信装置に対して発呼するステップと、を備える移動体通信装置の位置特定を支援する方法。
【請求項６】
コンピュータに実行されると、
移動体通信装置を探索するために、定期的または不定期に所定の照会信号を出力する照会手段と、複数の移動体通信装置からそれぞれの識別情報を含む応答信号が送られてくるたびに受信する受信手段とを備えた疑似基地局装置から前記応答信号に含まれる識別情報を取得するステップと、
異なるタイミングで受信した応答信号に基づいて、前記複数の移動体通信装置が所定距離以上移動したか否かを判定するステップと、
前記取得した識別情報に基づいて、移動していないと判定された各移動体通信装置の所有者に関する個人情報を取得するステップと、
前記取得した個人情報を出力するステップと、を行って移動体通信装置の位置の特定を支援するためのコンピュータプログラム。
【発明の詳細な説明】
【技術分野】
【０００１】
本発明は、移動体通信装置の位置の特定を支援するための技術に関し、特に被災現場において、移動体通信装置の位置特定を支援することで被災者救助を支援する技術に関する。
【背景技術】
【０００２】
自然災害、事件あるいは事故によって生じる土砂崩れ及び建物の倒壊などにより生き埋めになった被災者の救助は一刻を争う。しかしながら、被災現場では、何重にも重なった倒壊した建物の残骸や土砂に埋もれてしまっていて、被災者がどこに存在するのか、あるいは被災者は誰なのかを容易に特定できない場合がある。
【０００３】
そこで、そのような場合に携帯電話機を利用して被災者の位置を特定するための技術が特許文献１に開示されている。
【特許文献１】特開２００４−２９７２０１号公報
【発明の開示】
【発明が解決しようとする課題】
【０００４】
しかしながら、特許文献１の発明では、携帯電話機は通常の通信手段に加え近距離無線通信手段を備えていなければならない。つまり、特許文献１の発明は、特定の付加機能を付け加えた携帯電話機を所持している被災者以外は検出されないので、救助されないことになる。不測の災害または事故などによる被災者救出のためには、一般に普及している携帯電話機などの移動体通信装置を活用すれば、その利用価値は大きい。
【０００５】
そこで、本発明の目的は、被災現場などにおいて、一般に普及している移動体通信装置の位置の特定を支援するための技術を提供することを目的とする。
【課題を解決するための手段】
【０００６】
本発明の一実施態様に従う移動体通信装置の位置特定支援装置は、移動体通信装置を探索するために、所定の照会信号を出力する照会手段と、複数の移動体通信装置からそれぞれの識別情報を含む応答信号を受信する受信手段と、前記受信手段が受信した応答信号に含まれる前記識別情報に基づいて、各移動体通信装置に対して発呼する発呼手段と、を備える。
【０００７】
これにより、隠れている移動体通信装置が存在する位置を知ることができるので、被災現場などで移動体通信装置を携帯したまま行方不明になっている被災者の存在を知ることができ、その迅速な救出に寄与する。
【０００８】
好適な実施形態では、前記受信手段が受信した応答信号に含まれる前記識別情報に基づいて、各移動体通信装置の所有者に関する個人情報を取得する手段と、前記取得した個人情報を出力する手段と、をさらに備えてもよい。
【０００９】
好適な実施形態では、前記受信した応答信号に基づいて、前記照会信号に応答した移動体通信装置の数を算出する手段と、前記算出手段により算出された移動体通信装置の数に基づいて、前記照会信号が届く範囲内の人数を予測する手段と、をさらに備えてもよい。
【００１０】
好適な実施形態では、前記照会手段と前記受信手段と前記発呼手段とは、一つの筐体に収容された可搬型の疑似基地局装置であってもよい。
【００１１】
好適な実施形態では、前記照会手段は、定期的または不定期に前記照会信号を出力し、前記受信手段は、前記複数の移動体通信装置からの応答信号が送られてくるたびに受信するようにしてもよい。このとき、前記被災者救助支援装置は、前記受信手段が異なるタイミングで受信した応答信号に基づいて、前記複数の移動体通信装置が所定距離以上移動したか否かを判定する手段をさらに備え、前記発呼手段は、移動していない移動体通信装置に対して発呼するようにしてもよい。
【００１２】
これにより、所定時間以上移動していない携帯電話機だけを抽出することができるので、被災現場などでは、被災者と思われる移動していない者のみを抽出できる。
【００１３】
本発明の一つの実施態様に従う移動体通信装置の位置特定支援装置は、移動体通信装置を探索するために、所定の照会信号を出力する手段と、複数の移動体通信装置からそれぞれの識別情報を含む応答信号を受信する手段と、前記受信手段が複数の地点で受信した応答信号に基づいて、それぞれの移動体通信装置の位置を特定する手段と、前記特定手段により特定された各移動体通信装置の位置を示す情報を出力する手段と、を備える。
【００１４】
これにより、被災現場などで移動体通信装置を携帯した被災者の位置を知ることができる。
【発明を実施するための最良の形態】
【００１５】
以下、本発明の一実施形態に係る被災者救助支援システムについて、図面を参照して説明する。本実施形態に係る被災者救助支援システムは、被災者が携帯している携帯電話機、ＰＨＳ（Personal Handyphone System）の通信装置などの移動体通信装置の位置の特定を支援することにより、被災者の救助を支援する。以下の実施形態では、移動体通信装置として携帯電話機を用いた例を示す。
【００１６】
図１は、本実施形態に係る被災者救助支援システムの概要を示す図である。
【００１７】
本システムは、携帯電話の基地局と同様に、携帯電話のセル３を作り出す疑似基地局装置１と、疑似基地局装置１が検出したセル３内の携帯電話機２に関する情報を解析する解析装置５とを備える。
【００１８】
疑似基地局装置１は、持ち運びが可能であり、被災地域内またはその近傍に設置されると、所定の範囲をカバーする携帯電話のセル３を作り出す。つまり、疑似基地局装置１は、携帯電話機２を探索するための照会信号を出力する。
【００１９】
携帯電話機２がこの照会信号を受信すると、自らの識別情報である電話番号などを含む応答信号を出力する。
【００２０】
疑似基地局装置１は、携帯電話機２が出力した応答信号を受信することにより、セル３内に存在する携帯電話機２を把握する。
【００２１】
疑似基地局装置１を移動させるか、あるいは複数台用いて複数地点で照会信号を出力し、応答信号を受信するようにしてもよい。
【００２２】
解析装置５は、疑似基地局装置１が携帯電話機２から受信した受信情報などを取得し、以下に説明するような所定の処理を実行して、被災者救助を支援するために有用な情報を出力する。疑似基地局装置１を複数台用いるときは、解析装置５は、それぞれの疑似基地局装置１から情報を取得する。
【００２３】
図２は、疑似基地局装置１の機能構成を示す図である。
【００２４】
疑似基地局装置１は、まず、送信アンテナ１１及び受信アンテナ１２を備え、携帯電話機２と無線通信を行う。ここで、受信アンテナ１２は指向性を有し、電波の受信方向を計測可能である。
【００２５】
また、疑似基地局装置１は、送信アンテナ１１から出力される照会信号を生成する照会信号発信部１３と、受信アンテナ１２が受信した応答信号から得られる情報（受信情報）を抽出する応答信号解析部１４と、応答信号解析部１４が抽出した受信情報を記憶する受信情報記憶部１５と、受信情報に基づいて携帯電話機２を呼び出す発呼処理を行う発呼処理部１６と、携帯電話機２の移動を検出する移動検出部１７と、解析装置５とのインタフェース１８とを備える。
【００２６】
照会信号発信部１３は、定期的または不定期に携帯電話機２を探索するための照会信号を生成する。ここで生成された照会信号は、送信アンテナ１１から電波として出力される。
【００２７】
受信アンテナ１２は、照会信号を受信した携帯電話機２が出力する応答信号の電波を受信する。応答信号には、各携帯電話機２の電話番号が含まれている。
【００２８】
応答信号解析部１４は、受信アンテナ１２が受信した、各携帯電話機２から出力された応答信号を解析し、受信情報を抽出する。例えば、応答信号解析部１４は、応答信号に含まれている情報を抽出するとともに、応答信号の受信状態から各携帯電話機２の位置情報を抽出する。従って、受信情報には、応答信号に含まれている携帯電話機の電話番号と、携帯電話機の位置情報と、受信時刻とが含まれる。
【００２９】
なお、位置情報の抽出は、例えば、応答信号解析部１４は、応答信号の受信方向に基づいて方位を特定するとともに、受信強度に基づいて距離を算出する。
【００３０】
移動検出部１７は、応答信号解析部１４が抽出した受信情報を取得し、移動していないことが確認された携帯電話機２の受信情報のみを受信情報記憶部１５に格納する。つまり、移動していることが検出された携帯電話機２については、受信情報を受信情報記憶部１５に記憶しないし、既に記憶されているときはそれを削除する。
【００３１】
例えば、移動検出部１７は、応答信号解析部１４が抽出した受信情報を取得し、受信情報記憶部１５に既に同じ電話番号の受信情報が格納されているか否かをチェックする。
【００３２】
そして、受信情報記憶部１５にその電話番号の受信情報が未だ格納されていないときは、格納する。一方、既に同じ電話番号の受信情報が格納されているときは、それぞれの位置情報を比較し、その携帯電話機２が所定の距離以上移動しているか否かを判定する。
【００３３】
そして、移動距離が所定以上と判定されたときは、移動検出部１７は、その携帯電話機２の受信情報を受信情報記憶部１５から削除する。一方、移動距離が所定未満と判定されたときは、その携帯電話機２を携帯している者はじっとしている、つまり動けない被災者である可能性が高いので、そのまま受信情報記憶部１５に受信情報を保持する。
【００３４】
また、受信情報記憶部１５に携帯電話機２の受信情報が格納されていても、一定時間以上、セル３内にその存在が確認されないときは、移動検出部１７が受信情報記憶部１５から受信情報を削除してもよい。つまり、受信情報記憶部１５に受信情報が格納されていても、応答信号解析部１４から新たに取得した受信情報には含まれていない状態が一定時間継続したときは、移動検出部１７は、受信情報記憶部１５に記憶されている受信情報を削除する。
【００３５】
これにより、移動している携帯電話機２及びセル３を一時的に通過しただけの携帯電話機２に関する情報は、受信情報記憶部１５から削除される。つまり、被災地域には、被災者以外の者がいることもあるので、移動検出部１７の処理により、被災者以外の者が所持している携帯電話機２に関する情報を排除できる。
【００３６】
なお、移動検出部１７の機能は、解析装置５に搭載されていてもよい。
【００３７】
発呼処理部１６は、応答信号を返してきた携帯電話機２に対する呼出を行う。例えば、受信情報記憶部１５を参照し、応答信号を返してきた携帯電話機２の電話番号を取得して、その電話番号へ発呼する。これにより、携帯電話機２の着信音が鳴れば、現実の携帯電話機２の位置、つまり被災者の位置を知ることができる。特に、生き埋めになって意識を失っているような被災者であっても、比較的容易に位置を特定することができ、早期救出につながる。さらに、被災者が応答したときは、実際に被災者と会話することにより、より詳細な情報を取得できる。
【００３８】
なお、発呼は、解析装置５からの指示を受けて行うようにしてもよい。
【００３９】
インタフェース１８は、解析装置５へ受信情報記憶部１５に格納されている情報を送信する。
【００４０】
なお、異なる２以上の測定地点で照会信号を出力し、携帯電話機２からの応答信号を受信した場合は、受信情報記憶部５２に、それぞれの測定地点で取得した応答信号から抽出された現在位置情報が格納される。
【００４１】
このとき、疑似基地局装置１にＧＰＳアンテナを搭載し高精度のＧＰＳを用いて、それぞれの測定地点を特定し、この測定地点情報は、受信情報とともに解析装置５へ送られるようにしてもよい。あるいは、各測定地点間の相対的な位置情報を、ユーザが解析装置５に登録するようにしてもよい。測定地点の特定は、複数台の疑似基地局装置１を用いた場合でも同様に行うことができる。
【００４２】
図３は、解析装置５の機能構成を示す図である。
【００４３】
解析装置５は、例えば汎用的なコンピュータシステムにより構成され、以下に説明する解析装置５内の個々の構成要素または機能は、例えば、コンピュータプログラムを実行することにより実現される。
【００４４】
解析装置５は、疑似基地局装置１とのインタフェース５１と、疑似基地局装置１から取得した受信情報を記憶する受信情報記憶部５２と、受信情報に基づいて各携帯電話機２の現在位置を検出する位置検出部５３と、受信情報に基づいて携帯電話機２の所有者の個人情報を収集する個人情報照会部５４と、取得した個人情報を記憶する個人情報記憶部５５と、被災者数を予測する被災者数予測部５６と、種々の情報を表示する表示部５８及び表示部５８に対する出力制御を行う表示制御部５７とを備える。
【００４５】
インタフェース５１は、疑似基地局装置１から受信情報を取得する。
【００４６】
位置検出部５３は、受信情報記憶部５２に格納されている各携帯電話機２の位置情報に基づいて、各携帯電話機２の位置を特定する。例えば、位置検出部５３は、それぞれの携帯電話機２の位置情報に基づいて、疑似基地局装置１を中心としたローカル座標系における各携帯電話機２の位置座標を特定するようにしてもよい。あるいは、複数地点で計測した各携帯電話機２の位置情報があれば、各測定地点間の相対的な位置情報と組み合わせて、被災地のローカル座標系での各携帯電話機２の位置座標を特定するようにしてもよい。
【００４７】
個人情報照会部５４は、受信情報に含まれる携帯電話機２の電話番号に基づいて、各携帯電話機２の所有者の氏名等の個人情報を取得する。例えば、個人情報照会部５４は、受信情報に含まれる携帯電話機２の電話番号を携帯電話会社等へ通知して、携帯電話会社等から携帯電話機２の所有者の住所、氏名等の個人情報を取得する。
【００４８】
被災者数予測部５６は、セル３内に存在する被災者数を予測する。例えば、被災者数予測部５６は、受信情報記憶部５２を参照し、応答信号を返してきた携帯電話数を計数し、この携帯電話数と携帯電話の保有率とを用いて、被災者数を予測する。
【００４９】
表示制御部５７は、予想被災者数、各携帯電話機２の位置情報及びその所有者の個人情報を表示部５８に表示させる。
【００５０】
図４、表示部５８に位置情報を２次元で表示した例を示す。
【００５１】
表示制御部５７は、位置検出部５３で特定された各携帯電話機２の位置座標に基づいて、セル３内での各携帯電話機２の位置を表示する。この表示は、３次元的にしてもよい。
【００５２】
図５は、表示部５８に携帯電話機２所有者の個人情報一覧を表示した例を示す。
【００５３】
表示制御部５７は、個人情報記憶部５５から携帯電話機２所有者の個人情報を取得し、一覧表示する。これにより、被災者本人または少なくとも被災者と関連する者を特定できる。なお、この画面の発呼ボタン５８２が押されると、選択領域５８１で選択した携帯電話機２に対して、発呼するようにしてもよい。
【００５４】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００５５】
例えば、疑似基地局装置１と解析装置５との通信は衛星通信を用いてもよい。これにより、例えば、疑似基地局装置１を何らかの方法で被災現場に配置する一方、解析装置5は被災現場以外の場所に設置することもできる。これにより、救助隊が容易には入り込めないような被災地に疑似基地局装置１を上空から投下したりすることで配置すれば、その地域に被災者が存在するか否かをいち早く知ることができる。
【００５６】
なお、疑似基地局装置１と解析装置５とを同一の筐体内に収容し、一体的に構成することもできる。
【図面の簡単な説明】
【００５７】
【図１】本発明の一実施形態に係る被災者救助支援システムの概要を示す図である。
【図２】疑似基地局装置１の機能構成を示す図である。
【図３】解析装置５の機能構成を示す図である。
【図４】解析装置５出力する情報の一例である。
【図５】解析装置５出力する情報の一例である。
【符号の説明】
【００５８】
１…疑似基地局装置、２…携帯電話機、３…セル、５…解析装置、６…、１１…送信アンテナ、１２…受信アンテナ、１３…照会信号発信部、１４…応答信号解析部、１５…受信情報記憶部、１６…発呼処理部、５４…個人情報照会部、５６…被災者数予測部。
【図１】
0004608414.tif 000002
【図２】
0004608414.tif 000003
【図３】
0004608414.tif 000004
【図４】
0004608414.tif 000005
【図５】
0004608414.tif 000006